(57)【要約】【課題】  ビデオカメラ等の撮像装置において、被写体が動いているか静止しているかにかかわらず、ビューファインダーを見ながら手動によるフォーカス調整を容易に行えるようにする。【解決手段】  ビューファインダーを有する撮像装置に、撮像信号から輪郭強調信号を生成する生成手段３，４と、この輪郭強調信号のピーク周波数を、第１のピーク周波数と、第１のピーク周波数よりも低い第２のピーク周波数との間で切り替える調整手段５，６，７及び１０と、この調整手段から出力した輪郭強調信号を撮像信号に加算する加算手段９とを備え、加算手段９の出力をビューファインダーに供給する。【選択図】  図３
2005109552.tif 000002
【特許請求の範囲】
【請求項１】
ビューファインダーに供給する映像信号を処理する映像信号処理装置において、
映像信号から輪郭強調信号を生成する生成手段と、
前記輪郭強調信号のピーク周波数を、第１のピーク周波数と、前記第１のピーク周波数よりも低い第２のピーク周波数との間で切り替える調整手段と、
前記調整手段から出力した輪郭強調信号を前記映像信号に加算する加算手段と
を備えたことを特徴とする映像信号処理装置。
【請求項２】
請求項１に記載の映像信号処理装置において、
前記生成手段は、前記映像信号から前記第１のピーク周波数の輪郭強調信号を生成する第１の生成手段と、前記映像信号から前記第２のピーク周波数の輪郭強調信号を生成する第２の生成手段とから成り、
前記調整手段は、少なくとも、前記第１の生成手段の出力と、前記第２の生成手段の出力とを切り替えて出力することを特徴とする映像信号処理装置。
【請求項３】
請求項２に記載の映像信号処理装置において、
前記調整手段は、
前記第１の生成手段の出力に係数を掛けるための第１の乗算手段と、
前記第２の生成手段の出力に係数を掛けるための第２の乗算手段と、
第１の乗算手段の出力と前記第２の乗算手段の出力とを加算する加算手段と、
値ｋ（０≦ｋ≦１）を連続的に変化させて、値ｋ，値（１−ｋ）をそれぞれ前記第１の乗算手段，前記第２の乗算手段に係数として供給する制御手段と
から成ることを特徴とする映像信号処理装置。
【請求項４】
ビューファインダーを有する撮像装置において、
撮像信号から輪郭強調信号を生成する生成手段と、
前記輪郭強調信号のピーク周波数を、第１のピーク周波数と、前記第１のピーク周波数よりも低い第２のピーク周波数との間で切り替える調整手段と、
前記調整手段から出力した輪郭強調信号を前記撮像信号に加算する加算手段と
を備え、前記加算手段の出力が前記ビューファインダーに供給されるようにしたことを特徴とする撮像装置。
【請求項５】
請求項４に記載の撮像装置において、
ビューファインダー表示用の輪郭強調信号のピーク周波数を、前記第１のピーク周波数と前記第２のピーク周波数との間で切り替えて設定するための操作手段をさらに備え、
前記調整手段は、前記操作手段の操作に基づいて切り替えを行うことを特徴とする撮像装置。
【請求項６】
請求項４に記載の撮像装置において、
前記生成手段は、前記映像信号から前記第１のピーク周波数の輪郭強調信号を生成する第１の生成手段と、前記映像信号から前記第２のピーク周波数の輪郭強調信号を生成する第２の生成手段とから成り、
前記調整手段は、少なくとも、前記第１の生成手段の出力と、前記第２の生成手段の出力とを切り替えて出力することを特徴とする撮像装置。
【請求項７】
請求項６に記載の撮像装置において、
前記調整手段は、
前記第１の生成手段の出力に係数を掛けるための第１の乗算手段と、
前記第２の生成手段の出力に係数を掛けるための第２の乗算手段と、
第１の乗算手段の出力と前記第２の乗算手段の出力とを加算する加算手段と、
値ｋ（０≦ｋ≦１）を連続的に変化させて、値ｋ，値（１−ｋ）をそれぞれ前記第１の乗算手段，前記第２の乗算手段に係数として供給する制御手段と
から成ることを特徴とする撮像装置。
【請求項８】
請求項７に記載の撮像装置において、
ビューファインダー表示用の輪郭強調信号のピーク周波数を、前記第１のピーク周波数と前記第２のピーク周波数との間で連続的に切り替えて設定するための操作手段をさらに備え、
前記制御手段は、前記操作手段の操作に基づいて前記値ｋを連続的に変化させることを特徴とする撮像装置。
【発明の詳細な説明】
【技術分野】
【０００１】
本発明は、ビューファインダーに供給する映像信号を処理する映像信号処理装置、及び、そうした映像信号処理装置を搭載した撮像装置に関し、特に、被写体が動いているか静止しているかにかかわらず、ビューファインダーを見ながら手動によるフォーカス調整を容易に行えるようにしたものに関する。
【背景技術】
【０００２】
テレビジョン番組等の撮影を行う際には、ビデオカメラのカメラマンが、撮影中の画像をビューファインダーで見ながら、手動でレンズブロックのフォーカスリングを回転させてフォーカス調整を行うことが多い。
【０００３】
そこで、撮像信号の空間周波数の高域成分を強調するディテール信号（輪郭強調信号）を生成し、このディテール信号を加算した撮像信号をビューファインダーに供給することにより、ビューファインダーに被写体の輪郭が強調して表示されるようにし、この強調された輪郭を指標としてフォーカスずれの有無や大きさを判断できるようにしたビデオカメラが従来から存在している（例えば、特許文献１〜３参照。）。
【０００４】
従来のこうしたビデオカメラでは、このビューファインダー表示用のディテール信号のピーク周波数（撮像信号の空間周波数のどの部分を最も強調するか）が、常に一定に設定されていた。
【特許文献１】特開平９−２８４６０５号公報（段落番号０００２）
【特許文献２】特開平９−１３９９５２号公報（段落番号０００２）
【特許文献３】特開平８−２７９９５０号公報（段落番号０００２〜０００３）
【発明の開示】
【発明が解決しようとする課題】
【０００５】
ところで、映像信号は、フォーカスずれ量が大きくなるにつれて、空間周波数が高い部分から順に減衰していく。図１は、フォーカスずれ量による映像信号の変調伝達関数（Modulation Transfer Function：ＭＴＦ ）の変化を示す波形図であり、波形ａがジャストフォーカスの状態、波形ｂ，ｃ，ｄは次第にフォーカスずれ量が大きくなった状態である。フォーカスずれ量が大きくなるにつれて、空間周波数が高い部分から順に変調伝達関数が低くなる（減衰していく）ことが表れている。
【０００６】
その結果、ディテール信号は、ピーク周波数が高いほど、フォーカスずれによる減衰の度合いが大きくなってしまう（例えば、図１において、空間周波数ω１をピーク周波数とするディテール信号は、ω１よりも低い空間周波数ω２をピーク周波数とするディテール信号よりも、フォーカスずれによる減衰の度合いが大きくなる）。
【０００７】
図２は、ディテール信号の信号量とフォーカスずれ量（被写体との距離）との関係を、ディテール信号Ｄ１と、ディテール信号Ｄ１よりもピーク周波数が高いディテール信号Ｄ２とで比較して示す波形図である。ディテール信号Ｄ１は、被写体との距離がジャストフォーカス時から幾分離れた距離Ａになったときにも十分に残っており、さらに離れた距離になったときになくなる。他方、ディテール信号Ｄ２は、ディテール信号Ｄ１よりもフォーカスずれによる減衰の度合いが大きく、被写体との距離が距離Ａになったときに既になくなっている。
【０００８】
ビデオカメラに対して前方または後方に動いている被写体（例えば歩いている人や走行している自動車等）を撮影する場合には、被写体の動きや速度の予測がつきにくいために、フォーカス調整の過程である程度大きなフォーカスずれが起きてしまうことが少なくない。
【０００９】
そうしたときに、ビューファインダー表示用のディテール信号のピーク周波数が低ければ、図２に示した関係から、ある程度大きなフォーカスずれが起きてもディテール信号が残っている（ビューファインダーに表示される被写体の輪郭強調量がゼロにならない）ので、被写体の動きに応じてフォーカスリングを回転させてフォーカスレンズを前方または後方に送り、表示される被写体の輪郭強調量の変化によってフォーカスレンズを送りすぎたのか送り足りないのかを判断して、ジャストフォーカスの状態に調整することができる。
【００１０】
しかし、ビューファインダー表示用のディテール信号のピーク周波数が高いと、図２に示した関係から、ある程度大きなフォーカスずれが起きたときにディテール信号がなくなってしまう（ビューファインダーに表示される被写体の輪郭強調量がゼロになり、フォーカスずれの有無や大きさを判断するための指標がなくなってしまう）。その結果、フォーカスレンズを送りすぎたような場合に、どこまで戻せばよいのかがわからなくなり、戻しすぎてしまうなどギクシャクした動きになってしまうことがある。また、フォーカスレンズの現在の位置がジャストフォーカス時の位置よりも前側なのか後ろ側なのかを見失ってしまうこともある。
【００１１】
これに対し、静止している被写体を撮影する場合には、ジャストフォーカスの状態に調整した後にあまり大きなフォーカスずれが起きてしまうことは少ない。また、僅かなフォーカスずれによっても被写体の輪郭強調量が大きく減少したほうが（図２に示した関係から、ビューファインダー表示用のディテール信号のピーク周波数が高いほうが）、フォーカスずれの有無を判断しやすくなるので、ジャストフォーカスの状態を維持しやすくなる。
【００１２】
このように、被写体が動いている場合には、ビューファインダー表示用のディテール信号のピーク周波数が低いほうが手動によるフォーカス調整を行いやすく、逆に、被写体が静止している場合には、このディテール信号のピーク周波数が高いほうが手動によるフォーカス調整を行いやすい。
【００１３】
しかるに、従来のビデオカメラでは、ビューファインダー表示用のディテール信号のピーク周波数が一定に設定されていたので、この設定周波数が高い場合には被写体が動いている場合に手動によるフォーカス調整を行いにくく、この設定周波数が低い場合には被写体が静止している場合に手動によるフォーカス調整を行いにくかった。
【００１４】
本発明は、上述の点に鑑み、ビデオカメラ等の撮像装置において、被写体が動いているか静止しているかにかかわらず、ビューファインダーを見ながら手動によるフォーカス調整を容易に行えるようにすることを課題としてなされたものである。
【課題を解決するための手段】
【００１５】
この課題を解決するために、本出願人は、ビューファインダーに供給する映像信号を処理する映像信号処理装置において、映像信号からディテール信号（輪郭強調信号）を生成する生成手段と、このディテール信号のピーク周波数を、第１のピーク周波数と、第１のピーク周波数よりも低い第２のピーク周波数との間で切り替える調整手段と、この調整手段から出力したディテール信号を映像信号に加算する加算手段とを備えた映像信号処理装置を提案する。
【００１６】
この映像信号処理装置では、ビューファインダー表示用のディテール信号のピーク周波数を、高いピーク周波数（第１のピーク周波数）と、低いピーク周波数（第２のピーク周波数）との間で切り替え可能になっている。
【００１７】
したがって、この映像信号処理装置を搭載したビデオカメラ等の撮像装置で、動いている被写体を撮影する場合には、このディテール信号のピーク周波数を低いピーク周波数に切り替えることにより、既に図２を用いて説明したように、ある程度大きなフォーカスずれが起きてもこのディテール信号が残る（ビューファインダーに表示される被写体の輪郭強調量がゼロにならない）ので、ジャストフォーカスの状態に調整することができるようになる。
【００１８】
逆に、その撮像装置で、静止している被写体を撮影する場合には、このディテール信号のピーク周波数を高いピーク周波数に切り替えることにより、既に図２を用いて説明したように、僅かなフォーカスずれによっても被写体の輪郭強調量が大きく減少するので、ジャストフォーカスの状態に調整した後その状態を維持しやすくなる。
【００１９】
このようにして、ビデオカメラ等の撮像装置において、被写体が動いているか静止しているかにかかわらず、ビューファインダーを見ながら手動によるフォーカス調整を容易に行えるようになる。
【００２０】
なお、この映像信号処理装置において、例えば、生成手段は、映像信号から第１のピーク周波数のディテール信号を生成する第１の生成手段と、映像信号から第２のピーク周波数のディテール信号を生成する第２の生成手段とで構成し、調整手段は、少なくともこの第１の生成手段の出力と第２の生成手段の出力とを切り替えて出力するように構成すればよい。
【００２１】
さらに、その場合には、調整手段を、この第１の生成手段の出力に係数を掛けるための第１の乗算手段と、この第２の生成手段の出力に係数を掛けるための第２の乗算手段と、この第１の乗算手段の出力と第２の乗算手段の出力とを加算する加算手段と、値ｋ（０≦ｋ≦１）を連続的に変化させて、値ｋ，値（１−ｋ）をそれぞれこの第１の乗算手段，第２の乗算手段に係数として供給する制御手段とで構成することが好適である。
【００２２】
それにより、ビューファインダー表示用のディテール信号のピーク周波数を、低いピーク周波数と高いピーク周波数との間で連続的に切り替えることができるようになる。
【００２３】
次に、本出願人は、ビューファインダーを有する撮像装置において、撮像信号からディテール信号を生成する生成手段と、このディテール信号のピーク周波数を、第１のピーク周波数と、この第１のピーク周波数よりも低い第２のピーク周波数との間で切り替える調整手段と、この調整手段から出力したディテール信号を撮像信号に加算する加算手段とを備え、この加算手段の出力がビューファインダーに供給されるようにした撮像装置を提案する。
【００２４】
この撮像装置は、前述の本発明に係る映像信号処理装置を搭載したものであり、被写体が動いているか静止しているかにかかわらず、ビューファインダーを見ながら手動によるフォーカス調整を容易に行えるようになる。
【００２５】
なお、この撮像装置において、一例として、ビューファインダー表示用のディテール信号のピーク周波数を第１のピーク周波数と第２のピーク周波数との間で切り替えて設定するための操作手段をさらに備え、調整手段は、この操作手段の操作に基づいて切り替えを行うようにすることが好適である。
【００２６】
それにより、カメラマンが、被写体が動いているか否かや被写体の移動速度等に応じて、ビューファインダー表示用のディテール信号のピーク周波数を、低いピーク周波数と高いピーク周波数との間で自由に切り替えることができるようになる。
【００２７】
また、この撮像装置において、一例として、生成手段を、映像信号から第１のピーク周波数のディテール信号を生成する第１の生成手段と、映像信号から第２のピーク周波数のディテール信号を生成する第２の生成手段とで構成するとともに、調整手段を、この第１の生成手段の出力に係数を掛けるための第１の乗算手段と、この第２の生成手段の出力に係数を掛けるための第２の乗算手段と、この第１の乗算手段の出力と第２の乗算手段の出力とを加算する加算手段と、値ｋ（０≦ｋ≦１）を連続的に変化させて、値ｋ，値（１−ｋ）をそれぞれこの第１の乗算手段，第２の乗算手段に係数として供給する制御手段とで構成することや、さらには、ビューファインダー表示用のディテール信号のピーク周波数を第１のピーク周波数と第２のピーク周波数との間で連続的に切り替えて設定するための操作手段をさらに備え、この制御手段を、この操作手段の操作に基づいて値ｋを連続的に変化させるように構成することが好適である。
【００２８】
それにより、ビューファインダー表示用のディテール信号のピーク周波数を低いピーク周波数と高いピーク周波数との間で連続的に切り替えることや、カメラマンが、被写体が動いているか否かや被写体の移動速度等に応じてこのディテール信号のピーク周波数を低いピーク周波数と高いピーク周波数との間で自由に連続的に切り替えることができるようになる。
【発明の効果】
【００２９】
本発明によれば、ビデオカメラ等の撮像装置において、ビューファインダー表示用のディテール信号のピーク周波数を低いピーク周波数と高いピーク周波数との間で切り替えることにより、被写体が動いているか静止しているかにかかわらず、ビューファインダーを見ながら手動によるフォーカス調整を容易に行えるという効果が得られる。
【００３０】
また、ビューファインダー表示用のディテール信号のピーク周波数を、低いピーク周波数と高いピーク周波数との間で連続的に切り替えることができるという効果も得られる。
【００３１】
また、カメラマンが、被写体が動いているか否かや被写体の移動速度等に応じて、ビューファインダー表示用のディテール信号のピーク周波数を、低いピーク周波数と高いピーク周波数との間で自由に切り替える（さらには低いピーク周波数と高いピーク周波数との間で連続的に切り替える）ことができるという効果も得られる。
【発明を実施するための最良の形態】
【００３２】
以下、ＬＣＤ（液晶ディスプレイ）を用いたビューファインダーを有するビデオカメラに本発明を適用した例について、図面を用いて具体的に説明する。図３は、本発明を適用したビデオカメラにおけるビューファインダー用の映像信号処理系の構成例を示すブロック図である。ビデオカメラ内において撮像素子（ＣＣＤ）の出力信号から生成された輝度信号が、クランプ回路１でＤＣ（直流）成分の基準レベルを再現され、Ａ／Ｄ変換器２によって所定のサンプリング周波数ｆｓでデジタル変換された後、ディテール回路（輪郭強調回路）３及び４に送られる。
【００３３】
ディテール回路３，４は、映像信号からディテール信号を生成する周知の回路である。図４は、ディテール回路の基本的構成例を示すブロック図である。入力した映像信号（ここではデジタル輝度信号）Ａが、同じ遅延時間ｔの遅延素子１１，１２で順次遅延されることにより、この遅延時間分ｔずつ時間差のある３つの映像信号Ａ，Ｂ，Ｃが得られる。
【００３４】
そして、映像信号Ｂ（遅延素子１１の出力）と、所定の係数（例えば−１／２）を掛けた映像信号Ａ（入力映像信号），映像信号Ｃ（遅延素子１２の出力）との和が乗算器１３，１４及び加算器１５で算出されることにより、ピーク周波数ｆ＝１／２ｔのディテール信号Ｄが生成される。
【００３５】
ただし、ディテール回路３とディテール回路４とでは、この遅延素子１１，１２の遅延時間ｔが異なっている。ディテール回路３における遅延素子１１，１２の遅延時間ｔは、Ａ／Ｄ変換器２におけるナイキスト周波数ｆｎ（＝ｆｓ／２）に対して、ｆｎ＝１／２ｔの関係にある。したがって、ディテール回路３で生成されるディテール信号のピーク周波数ｆは、このナイキスト周波数ｆｎと一致する。
【００３６】
他方、ディテール回路４における遅延素子１１，１２の遅延時間ｔは、ディテール回路３における遅延素子１１，１２の遅延時間ｔの２倍になっている。したがって、ディテール回路４で生成されるディテール信号のピーク周波数ｆは、ディテール回路３で生成されるディテール信号のピーク周波数の２分の１（ナイキスト周波数ｆｎの２分の１）になる。
【００３７】
図３において、ディテール回路３，４から出力したディテール信号は、それぞれ乗算器５，６に送られる。
【００３８】
図示は省略するが、このビデオカメラの操作パネルには、ビューファインダー表示用のディテール信号のピーク周波数を「低」（Ａ／Ｄ変換器２におけるナイキスト周波数ｆｎの２分の１のピーク周波数）と「高」（このナイキスト周波数ｆｎと同じピーク周波数）との間で連続的に切り替えて設定するための操作釦が設けられている。
【００３９】
この操作釦の設定結果を示す情報は、ビデオカメラ内のマイクロプロセッサ１０に送られる。マイクロプロセッサ１０は、この操作釦の設定結果に基づき、値ｋ（０≦ｋ≦１）を連続的に変化させて、値ｋ，値（１−ｋ）をそれぞれ乗算器５，６に係数として供給する。すなわち、この操作釦の設定結果が「低」であるときは、値ｋを０にすることにより、係数０，係数１をそれぞれ乗算器５，６に供給する。そして、この設定結果が「低」から「高」に向けて変化するにつれて値ｋを０から１に向けて変化させていき、この設定結果が「高」になると、値ｋを１にすることによって係数１，係数０をそれぞれ乗算器５，６に供給する。
【００４０】
乗算器５の出力と乗算器６の出力とは、加算器７で加算される。図５は、この加算器７から出力されるディテール信号の周波数特性を、変調伝達関数（Modulation Transfer Function：ＭＴＦ ）を縦軸にとり、周波数（Ａ／Ｄ変換器２におけるナイキスト周波数ｆｎを１として正規化したもの）を横軸にとって示す波形図であり、Ｒ１は操作釦の設定結果が「低」のときの波形、Ｒ２，Ｒ３はこの設定結果が「低」から「高」に向けて変化する過程での波形、Ｒ４がこの設定結果が「高」のときの波形である。
【００４１】
この図５に表れているように、操作釦の操作に応じて、加算器７から出力されるディテール信号のピーク周波数は、Ａ／Ｄ変換器２におけるナイキスト周波数ｆｎの２分の１のピーク周波数と、このナイキスト周波数ｆｎと同じピーク周波数との間で連続的に変化していく。
【００４２】
図３において、加算器７から出力されたディテール信号は、乗算器８に送られる。このビデオカメラの操作パネルには、ビューファインダー表示用のディテール信号のゲインを設定するための操作釦も設けられており、マイクロプロセッサ１０にはこの操作釦の設定結果を示す情報も送られる。マイクロプロセッサ１０は、この操作釦の設定結果に応じた値の係数ｍを乗算器８に供給する。
【００４３】
このようにしてゲインを調整されたディテール信号は、加算器９でＡ／Ｄ変換器２からの輝度信号と加算された後、このビデオカメラのビューファインダー（ＬＣＤの駆動回路）に供給される。これにより、ビューファインダーには被写体の輪郭が強調して表示されるので、カメラマンが、この強調された輪郭を指標としてフォーカスずれの有無や大きさを判断しながら、手動でレンズブロックのフォーカスリングを回転させてフォーカス調整を行うことができる。
【００４４】
そして、このビデオカメラでは、動いている被写体を撮影する場合には、操作釦でビューファインダー表示用のディテール信号のピーク周波数を「低」寄りに設定することにより、既に図２を用いて説明したように、ある程度大きなフォーカスずれが起きてもこのディテール信号が残る（ビューファインダーに表示される被写体の輪郭強調量がゼロにならない）ので、ジャストフォーカスの状態に調整することができる。さらに、被写体の動きがかなり速い場合にはピーク周波数を「低」に設定するが、被写体の動きがそれほど速くない場合にはピーク周波数を中程度（図５の波形Ｒ２やＲ３のようなピーク周波数）に設定するというように、被写体の移動速度等に応じてピーク周波数を連続的に切り替えることもできる。
【００４５】
逆に、静止している被写体を撮影する場合には、操作釦でこのディテール信号のピーク周波数を「高」に設定することにより、既に図２を用いて説明したように、僅かなフォーカスずれによっても被写体の輪郭強調量が大きく減少するので、ジャストフォーカスの状態に調整した後その状態を維持しやすくなる。
【００４６】
このように、このビデオカメラでは、カメラマンが、被写体が動いているか否かや被写体の移動速度等に応じて、ビューファインダー表示用のディテール信号のピーク周波数を、低いピーク周波数と高いピーク周波数との間で自由に切り替えることができる。したがって、被写体が動いているか静止しているかにかかわらず、ビューファインダーを見ながら手動によるフォーカス調整を容易に行うことができる。
【００４７】
なお、フォーカスずれによるディテール信号の信号量の減少を抑える方法としては、本発明におけるようにディテール信号のピーク周波数を低くする以外に、ディテール信号のピーク周波数を高くしたままディテール信号のゲインを大きくする（図３の乗算器８に供給する係数ｍの値を大きくする）という方法もないではない。しかし、以下に述べるように、ゲインを大きくするよりも、ピーク周波数を低くするほうが優れている。
【００４８】
まず、ピーク周波数を低くすることにより、ＳＮ比を低下させることなくディテール信号の信号量の減少を抑えることができる。図６は、このことを表すために、ピーク周波数を「低」に設定したディテール信号Ｒ１（図５の波形Ｒ１の周波数特性のディテール信号）と、ピーク周波数を「高」に設定したディテール信号Ｒ４（図５の波形Ｒ４の周波数特性のディテール信号）と、ディテール信号Ｒ４のゲインを４倍にしたディテール信号Ｒ４×４とで、フォーカスずれ量による信号量の変化を比較して示す波形図であり、縦軸にディテール信号の信号量として急峻度（正規化したもの）をとり、横軸にフォーカスずれ量として錯乱円（１が許容錯乱円であり、例えば５はその５倍の錯乱円）をとっている。ここで、ディテール信号の急峻度とは、図７に示すように、映像信号の信号量Ａに対するディテール信号の信号量Ｂの比Ｂ／Ａである。
【００４９】
図６には、ピーク周波数を「高」に設定したディテール信号Ｒ４では錯乱円が約２になると急峻度が０．２まで下がってしまうのに対し、ピーク周波数を「低」に設定したディテール信号Ｒ１で急峻度が０．２まで下がるのは錯乱円が約３．７になったときであるというように、ピーク周波数を「低」に設定したディテール信号Ｒ１では急峻度の低下がディテール信号Ｒ４のほぼ半分に抑えられることが表れている。
【００５０】
そして、ディテール信号Ｒ４×４の波形とディテール信号Ｒ１の波形とが近似していることから、ピーク周波数を「高」に設定したまま急峻度の低下をディテール信号Ｒ１とほぼ同じ程度にまで抑えるためには、ゲインを４倍にする必要があることが表れている。しかし、このようにディテール信号のゲインを大きくすると、ＳＮ比の低下を招いてしまう。これに対し、本発明におけるようにピーク周波数を低くすることにより、ＳＮ比を低下させることなくディテール信号の信号量の減少を抑えることができる。
【００５１】
次に、ピーク周波数を低くすることにより、ビューファインダーに用いているＬＣＤのダイナミックレンジとは無関係に、ディテール信号の信号量の減少を抑えることができる。すなわち、ＬＣＤでは、表示する映像のコントラストを十分にとるために、図８に示すようにダイナミックレンジ（ここでは映像信号の量子化ビット数を８とした０〜２５５の範囲としている）のほぼ全域が映像表示のために用いられる。
【００５２】
そのため、ディテール信号のゲインを大きくしても、図８にも表れているようにディテール信号がダイナミックレンジに収まらなくなることにより、実際に輪郭の強調表示に寄与するディテール信号の信号量の減少をあまり抑えることができなくなる。これに対し、本発明におけるようにピーク周波数を低くすることにより、ＬＣＤのダイナミックレンジとは無関係に、ディテール信号の信号量の減少を抑えることができる。
【００５３】
なお、以上の例では、ビューファインダー表示用のディテール信号のピーク周波数を「低」と「高」との間で連続的に切り替えて設定するための操作釦を設けている。しかし、別の例として、このピーク周波数を「低」または「高」に二者択一的に切り替えて設定するための操作釦を設けるようにしてもよい。そのようにしても、被写体が動いている場合にはピーク周波数を「低」に設定し、被写体が静止している場合にはピーク周波数を「高」に設定することにより、やはり、被写体が動いているか静止しているかにかかわらず、ビューファインダーを見ながら手動によるフォーカス調整を容易に行うことができるようになる。
【００５４】
また、このような二者択一設定用の操作釦を設ける場合には、図３の映像信号処理系において、乗算器５，６及び加算器７の代わりに、ディテール回路３，４からのディテール信号を入力する２入力１出力のセレクタを設け、ピーク周波数が「低」に設定されたときにはマイクロプロセッサ１０の制御によってディテール回路４からのディテール信号をこのセレクタに選択させ、他方ピーク周波数が「高」に設定されたときにはマイクロプロセッサ１０の制御によってディテール回路３からのディテール信号をこのセレクタに選択させるようにしてもよい。
【００５５】
また、以上の例では、操作釦の操作に基づいてビューファインダー表示用のディテール信号のピーク周波数を切り替えるようにしている。しかし、別の例として、被写体が動いているか否かを判別する回路を設け、その判別結果に基づいて自動的にこのディテール信号のピーク周波数を切り替えるようにしてもよい。被写体が動いているか否かを判別する方法としては、例えば、生成したディテール信号の信号量の時間的変化を検出し、一定時間内に所定の閾値を超える変化がなかった場合には被写体が静止していると判別するという方法が考えられる（ピーク周波数を「低」または「高」に二者択一的に切り替える場合には、一定時間内に所定の閾値を超える変化があった場合には被写体が動いていると判別するという方法も考えられる）。
【００５６】
また、以上の例では、ＬＣＤを用いたビューファインダーを有するビデオカメラに本発明を適用している。しかし、これに限らず、ＬＣＤ以外の表示素子（例えばＰＤＰ等）を用いたビューファインダーを有するビデオカメラや、ビデオカメラ以外の撮像装置にも本発明を適用してよい。
【００５７】
また、本発明は、以上の例に限らず、本発明の要旨を逸脱することなく、その他様々の構成をとりうることはもちろんである。
【図面の簡単な説明】
【００５８】
【図１】フォーカスずれ量による映像信号の変調伝達関数の変化を示す波形図である。
【図２】ディテール信号の信号量とフォーカスずれ量との関係を示す波形図である。
【図３】本発明を適用したビデオカメラにおけるビューファインダー用の映像信号処理系の構成例を示すブロック図である。
【図４】ディテール回路の基本的構成例を示すブロック図である。
【図５】図３の加算器７から出力されるディテール信号の周波数特性を示す波形図である。
【図６】ピーク周波数の低いディテール信号と、ゲインの大きいディテール信号とで、フォーカスずれ量による信号量の変化を比較して示す波形図である。
【図７】ディテール信号の急峻度を示す図である。
【図８】ＬＣＤのダイナミックレンジを示す図である。
【符号の説明】
【００５９】
１  クランプ回路
２  Ａ／Ｄ変換器
３  ディテール回路
４  ディテール回路
５  乗算器
６  乗算器
７  加算器
８  乗算器
９  加算器
１０  マイクロプロセッサ
１１  遅延素子
１２  遅延素子
１３  乗算器
１４  乗算器
１５  加算器
【図１】
2005109552.tif 000003
【図２】
2005109552.tif 000004
【図３】
2005109552.tif 000005
【図４】
2005109552.tif 000006
【図５】
2005109552.tif 000007
【図６】
2005109552.tif 000008
【図７】
2005109552.tif 000009
【図８】
2005109552.tif 000010